(57)【要約】【課題】貯留タンクを小型化することができる、あるいは装置全体を小型化することができるタンク装置を提供することを目的とする。【解決手段】供給された液体を貯留する主タンクと、前記主タンクからオーバーフローする液体を流出させる流出路と、を有する貯留タンクと、前記流出路を流れる液体を検知する液体検知センサと、前記液体検知センサが前記流出路を流れる液体を検知すると、前記主タンクへの液体の供給を停止させる制御を実行し、前記供給を停止させる制御を実行した後に前記液体検知センサが前記流出路を流れる液体を所定時間よりも長く検知すると、異常信号を出力する制御部と、を備えたことを特徴とするタンク装置が提供される。【選択図】図７
2010236211.tif 000002
【特許請求の範囲】
【請求項１】
供給された液体を貯留する主タンクと、前記主タンクからオーバーフローする液体を流出させる流出路と、を有する貯留タンクと、
前記流出路を流れる液体を検知する液体検知センサと、
前記液体検知センサが前記流出路を流れる液体を検知すると、前記主タンクへの液体の供給を停止させる制御を実行し、前記供給を停止させる制御を実行した後に前記液体検知センサが前記流出路を流れる液体を所定時間よりも長く検知すると、異常信号を出力する制御部と、
を備えたことを特徴とするタンク装置。
【請求項２】
前記流出路は、前記主タンクからオーバーフローする液体を一時的に貯留し流出させるセンサ用滞留部であり、
前記センサ用滞留部は、前記センサ用滞留部内の液体を流出させる流出口を有し、
前記液体検知センサは、前記流出口から流出する液体を検知することを特徴とする請求項１記載のタンク装置。
【請求項３】
前記流出口の下部の開口幅は、前記流出口の上部の開口幅よりも小さいことを特徴とする請求項２記載のタンク装置。
【請求項４】
前記流出路は、前記主タンクに接続され前記主タンクからオーバーフローする液体を流出させる排水配管であり、
前記液体検知センサは、下端部が前記排水配管の内部に進入するように配置され、前記排水配管の内部を流れる液体を検知することを特徴とする請求項１記載のタンク装置。
【請求項５】
上方または下方からみたときの断面積が下方部よりも上方部の方が小さく、供給された液体を貯留する主タンクを有する貯留タンクと、
前記主タンクの満水水位よりも高い水位の液体を検知する液体検知センサと、
前記液体検知センサが前記満水水位よりも高い水位の液体を検知すると、前記主タンクへの液体の供給を停止させる制御を実行する制御部と、
を備え、
前記主タンクは、上部よりも下部における開口幅が小さく、前記満水水位よりも高い水位の液体をオーバーフローさせる流出口を有し、
前記制御部は、前記供給を停止させる制御を実行した後に前記液体検知センサが前記満水水位よりも高い水位の液体を所定時間よりも長く検知すると、異常信号を出力することを特徴とするタンク装置。
【発明の詳細な説明】
【技術分野】
【０００１】
本発明の態様は、一般的に、タンク装置に関し、具体的にはタンクの満水状態やタンクへの異常給水などを検知することができるタンク装置に関する。
【背景技術】
【０００２】
タンク装置の中には、例えば、貯留タンクの満水状態を検知する装置や、貯留タンクへの異常給水を検知する装置などが設けられたものがある。そして、液体を受ける容器の上部に漏えい検出室が設けられ、その漏えい検出室に設けられた電極式検出器により液体の漏えいを事前に検知する漏えい検出装置がある（特許文献１）。
【０００３】
しかしながら、特許文献１に記載された漏えい検出装置を貯留タンクとして利用する場合には、貯留タンクの満水状態を検知する水位検知装置と、貯留タンクへの異常給水を検知する異常検知装置と、の複数の検知装置を設ける必要がある。そうすると、貯留タンクが大型化して、タンク装置全体として大型化するという問題がある。
【先行技術文献】
【特許文献】
【０００４】
【特許文献１】特開昭６２−２５２３０号公報
【発明の概要】
【発明が解決しようとする課題】
【０００５】
本発明は、かかる課題の認識に基づいてなされたものであり、貯留タンクを小型化することができる、あるいは装置全体を小型化することができるタンク装置を提供することを目的とする。
【課題を解決するための手段】
【０００６】
第１の発明は、供給された液体を貯留する主タンクと、前記主タンクからオーバーフローする液体を流出させる流出路と、を有する貯留タンクと、前記流出路を流れる液体を検知する液体検知センサと、前記液体検知センサが前記流出路を流れる液体を検知すると、前記主タンクへの液体の供給を停止させる制御を実行し、前記供給を停止させる制御を実行した後に前記液体検知センサが前記流出路を流れる液体を所定時間よりも長く検知すると、異常信号を出力する制御部と、を備えたことを特徴とするタンク装置である。  
このタンク装置によれば、制御部は、１つのセンサにより、すなわち液体検知センサにより、主タンクが満水状態であることと、主タンクへの異常供給が行われていることと、を検知することができる。そのため、貯留タンクを小型化することができる。その結果、タンク装置全体を小型化することができる。
【０００７】
また、第２の発明は、第１の発明において、前記流出路は、前記主タンクからオーバーフローする液体を一時的に貯留し流出させるセンサ用滞留部であり、前記センサ用滞留部は、前記センサ用滞留部内の液体を流出させる流出口を有し、前記液体検知センサは、前記流出口から流出する液体を検知することを特徴とするタンク装置である。  
このタンク装置によれば、液体検知センサは、主タンクからオーバーフローした液体であって流出口から流出する液体を検知する。そのため、制御部は、主タンクが満水状態であることと、主タンクへの異常供給が行われていることと、をより早く検知することができる。
【０００８】
また、第３の発明は、第２の発明において、前記流出口の下部の開口幅は、前記流出口の上部の開口幅よりも小さいことを特徴とするタンク装置である。  
このタンク装置によれば、センサ用滞留部内の水位が高いときには、センサ用滞留部からの水の流出を促進することができ、一方で、センサ用滞留部内の水位が低いときには、センサ用滞留部からの水の流出を抑制することができる。そのため、制御部は、正常給水と異常給水とを判別しやすく、主タンクに流入する単位時間当たりの水量が少ないときでも、主タンクへの異常給水が行われていることをより確実に検知できる。
【０００９】
また、第４の発明は、第１の発明において、前記流出路は、前記主タンクに接続され前記主タンクからオーバーフローする液体を流出させる排水配管であり、前記液体検知センサは、下端部が前記排水配管の内部に進入するように配置され、前記排水配管の内部を流れる液体を検知することを特徴とするタンク装置である。  
このタンク装置によれば、液体検知センサは、排水配管内を流れる水を検知するため、主タンクからのオーバーフロー水が排水配管内を流れているときと、流れていないときと、の違いをより早く検知できる。そのため、制御部は、主タンクへの異常給水が行われていることをより早く検知できる。また、排水配管は管状となっているため、主タンクからのオーバーフロー水が飛散することを抑制することができる。そのため、排水配管内を流れる水は、液体検知センサの下端部により確実に接触することができる。つまり、液体検知センサは、排水配管内を流れる水をより確実に検知できる。
【００１０】
また、第５の発明は、上方または下方からみたときの断面積が下方部よりも上方部の方が小さく、供給された液体を貯留する主タンクを有する貯留タンクと、前記主タンクの満水水位よりも高い水位の液体を検知する液体検知センサと、前記液体検知センサが前記満水水位よりも高い水位の液体を検知すると、前記主タンクへの液体の供給を停止させる制御を実行する制御部と、を備え、前記主タンクは、上部よりも下部における開口幅が小さく、前記満水水位よりも高い水位の液体をオーバーフローさせる流出口を有し、前記制御部は、前記供給を停止させる制御を実行した後に前記液体検知センサが前記満水水位よりも高い水位の液体を所定時間よりも長く検知すると、異常信号を出力することを特徴とするタンク装置である。  
このタンク装置によれば、制御部は、１つのセンサにより、すなわち液体検知センサにより、主タンクが満水状態であることと、主タンクへの異常供給が行われていることと、を検知することができる。そのため、貯留タンクを小型化することができる。その結果、タンク装置全体を小型化することができる。また、流出口の開口幅は、上部よりも下部の方が小さいため、主タンク内の水位は、満水水位よりも高くなりやすい。そのため、制御部は、正常給水と異常給水とを判別しやすく、主タンクに流入する単位時間当たりの水量が少ないときでも、主タンクへの異常給水が行われていることをより確実に検知できる。
【発明の効果】
【００１１】
本発明の態様によれば、貯留タンクを小型化することができる、あるいは装置全体を小型化することができるタンク装置が提供される。
【図面の簡単な説明】
【００１２】
【図１】本発明の実施の形態にかかるタンク装置を備えたトイレ室を例示する斜視模式図である。
【図２】本実施形態の受尿装置を表す平面模式図である。
【図３】本実施形態にかかるタンク装置を表す平面模式図である。
【図４】本実施形態にかかるタンク装置の主構成および水路構成を例示するブロック図である。
【図５】本実施形態の比較例にかかるタンク装置の主構成および水路構成を例示するブロック図である。
【図６】本実施形態の貯留タンクの具体例を表す平面模式図である。
【図７】本具体例の貯留タンクを側方から眺めた断面模式図である。
【図８】本具体例の貯留タンクを他の側方から眺めた断面模式図である。
【図９】本実施形態の主タンクおよびセンサ用滞留部の水位を表すタイムチャートである。
【図１０】本実施形態の貯留タンクの他の具体例を側方から眺めた断面模式図である。
【図１１】本具体例の貯留タンクを他の側方から眺めた断面模式図である。
【図１２】本実施形態の貯留タンクのさらに他の具体例を側方から眺めた断面模式図である。
【図１３】本具体例の貯留タンクを他の側方から眺めた断面模式図である。
【図１４】本実施形態の貯留タンクのさらに他の具体例を側方から眺めた断面模式図である。
【図１５】本具体例の貯留タンクを他の側方から眺めた断面模式図である。
【図１６】本実施形態の具体例にかかるタンク装置の主構成および水路構成を例示するブロック図である。
【発明を実施するための形態】
【００１３】
以下、本発明の実施の形態について図面を参照しつつ説明する。なお、各図面中、同様の構成要素には同一の符号を付して詳細な説明は適宜省略する。  
図１は、本発明の実施の形態にかかるタンク装置を備えたトイレ室を例示する斜視模式図である。  
また、図２は、本実施形態の受尿装置を表す平面模式図である。
【００１４】
図１に表したトイレ室には、便器１１０が設けられている。便器１１０の後方上部には、局部洗浄装置１２０が設けられていてもよい。局部洗浄装置１２０は、便座に座った使用者の「おしり」などに水を噴射して、「おしり」などを洗浄することができる。なお、本願明細書において、「水」という場合には、冷水のみならず、加温されたお湯も含むものとする。
【００１５】
便器１１０の側方には、前後方向に延在する棚板３１０が設けられている。その棚板３１０の下方には、キャビネット３５０、３２０、３３０が設けられている。キャビネット３５０には、後に詳述するように、使用者の尿を採尿して尿糖値や体温値（尿温値）などを測定する尿糖計計測部２４０や、液体を一時的に貯留する貯留タンク２２０などが内蔵されている。使用者の尿の採尿は、図２に表したように、便器１１０に設けられた受尿装置１７０により行われる。
【００１６】
より具体的には、受尿装置１７０は、便器１１０に付設された駆動部１７１と、駆動部１７１により駆動される回動アーム１７３と、回動アーム１７３の先端部に設けられ便器１１０のボウル１１１内を移動可能な受尿部１７５と、受尿部１７５により受尿した尿をキャビネット３５０内に搬送する搬送管１７７と、を有する。図２に表した受尿装置１７０は、受尿部１７５が受尿位置にある状態を表している。この状態において、使用者が受尿部１７５に放尿した尿を当てることによって、受尿装置１７０は受尿を行うことができる。
【００１７】
また、キャビネット３２０には、使用者の血圧値を測定する血圧計１６０などが内蔵されていてもよい。また、トイレ室の床面７０１の下方には、使用者の体重を測定する体重計１５０が設けられていてもよい。この場合、体重計１５０の上方には、体重計パネル１５１が床面７０１と略同一面となるように設けられる。そのため、体重計１５０は、体重計パネル１５１に覆われ、使用者から見えない状態で配置される。
【００１８】
また、棚板３１０の下方には、ペーパーホルダ３４１やトイレットペーパー３４３が設けられていてもよいし、棚板３１０の上面には、水栓３４５を付設したボウル３４７が設けられていてもよい。さらに、棚板３１０の上方の壁面７０３には、鏡３４９が設けられていてもよい。
【００１９】
壁面７０３には、トイレリモコン１３０が付設されている。使用者は、トイレリモコン１３０を操作することによって、例えば便器１１０の洗浄を実行させたり、便器１１０の便座や便蓋を電動により開閉させることができる。また、壁面７０３には、例えば、キャビネット３５０に内蔵された尿糖計計測部２４０や、体重計１５０や、血圧計１６０などの生体情報測定装置から送られてきた測定値を表示部に表示したり、メモリに記憶する端末装置１４０が付設されている。
【００２０】
つまり、図１に表したトイレ室には、健康管理システムが備えられている。そして、端末装置１４０は、キャビネット３５０に内蔵された尿糖計計測部２４０や体重計１５０や血圧計１６０などの複数の生体情報測定装置から出力された測定値を受信し、端末装置１４０が有する表示部１４１にそれらの測定値を表示する機能や、端末装置１４０が有する図示しないメモリにそれらの測定値を記憶する機能などを有する。
【００２１】
図３は、本実施形態にかかるタンク装置を表す平面模式図である。  
本実施形態にかかるタンク装置２００は、キャビネット３５０（図１参照）の内部に設けられている。本実施形態にかかるタンク装置２００は、通電により開閉して下流への通水／止水を選択的に切り替える電磁弁２１０と、電磁弁２１０から供給された液体を一時的に貯留する貯留タンク２２０と、受尿された使用者の尿に基づいて尿糖値や体温値（尿温値）などを測定する尿糖計計測部２４０と、尿糖値を測定する際に用いられる試薬などを貯留したり注入したりする液注入ユニット部２５０と、を備える。なお、以下の説明においては、電磁弁２１０から貯留タンク２２０に供給される液体は水である場合を例に挙げて説明する。
【００２２】
尿糖計計測部２４０は、電磁弁２１０の開閉動作を制御可能な制御部２４１と、分配装置２４３と、尿グルコース濃度を検知し検知信号を出力する尿糖検知センサ２４５と、を有する。分配装置２４３は、例えば「ロータリーバルブ・シリンジポンプ」などと呼ばれ、ロータリーバルブを切り換えつつシリンジポンプを作動させることにより、ロータリーバルブのポートのいずれかからシリンジポンプに液体を吸引したり、ロータリーバルブのポートの他のいずれかからシリンジポンプ内の液体を吐出することができる。より具体的には、分配装置２４３は、受尿部１７５により受尿された尿を吸引したり、貯留タンク２２０に貯留された水を吸引したり、液注入ユニット部２５０に貯留された試薬を吸引したり、尿糖検知センサ２４５に尿を吐出したりすることができる。
【００２３】
例えば、分配装置２４３は、制御部２４１から制御されることにより、受尿部１７５により受尿された尿を搬送管１７７を通して吸引し、センサ配管２８３を通して尿糖検知センサ２４５に搬送する。その後、分配装置２４３は、制御部２４１から制御されることにより、液注入ユニット部２５０から試薬配管２８１、２８２を通して試薬を吸引し、センサ配管２８３を通して尿糖検知センサ２４５に搬送する。これにより、尿糖検知センサ２４５に搬送された尿は、試薬と混合され希釈される。
【００２４】
そして、尿糖検知センサ２４５は、尿と試薬との混合物中の尿グルコース濃度を検知し、その尿グルコース濃度に応じた検知信号を出力する。制御部２４１は、尿糖検知センサ２４５からの検知信号に基づいて尿糖値を演算し、端末装置１４０の表示部１４１に尿糖値を表示することができる。つまり、制御部２４１は、分配装置２４３の動作を制御したり、尿糖検知センサ２４５からの検知信号に基づいて尿糖値を演算したりすることができる。
【００２５】
このように、分配装置２４３には尿や試薬が流入する。そのため、分配装置２４３の内部を洗浄する必要がある。また、受尿部１７５に関しても同様に、その受尿部１７５は、使用者が放尿した尿を受ける。そのため、受尿部１７５の内部を洗浄する必要がある。ここで、分配装置２４３は、精密装置であるため、水道圧がかけられ洗浄されると破損する場合がある。そのため、分配装置２４３を洗浄する際には、水道圧が直接的にかからないようにすることがより好ましい。そこで、本実施形態にかかるタンク装置２００には、貯留タンク２２０が設けられている。
【００２６】
貯留タンク２２０は、配水管２８５を介して電磁弁２１０に接続され、電磁弁２１０から配水管２８５を通して導水された水を一時的に貯留することができる。そして、分配装置２４３は、制御部２４１から制御されることにより、貯留タンク２２０に貯留された水を貯留タンク配管２８６を通して吸引し、分配装置２４３の内部をその水により洗浄することができる。なお、貯留タンク２２０内においてオーバーフローした水（オーバーフロー水）は、貯留タンク２２０の下部に接続された排水トラップ２７０を通して排水される。これについては、後に詳述する。
【００２７】
一方、受尿部１７５の内部は、水道圧がかけられ洗浄される。そのため、受尿部１７５の内部を洗浄するための洗浄水を一時的に貯留するタンクなどは必要ない。これにより、本実施形態にかかるタンク装置２００では、貯留タンク２２０を小型化することができ、またタンク装置２００全体を小型化することができる。なお、本実施形態では、水道圧がかけられた水道水により受尿部１７５の内部を洗浄するため、受尿部１７５の内部に水道水を導く配管の途中には、後に詳述するように、安全弁を設けることが好ましい。そして、安全弁が作動した場合には、その安全弁から吹き出した水は、後に詳述するように、貯留タンク２２０に設けられたバッファタンクを通して排水トラップ２７０から排水される。
【００２８】
次に、本実施形態にかかるタンク装置の主構成および水の流れについて、図面を参照しつつ説明する。  
図４は、本実施形態にかかるタンク装置の主構成および水路構成を例示するブロック図である。  
また、図５は、本実施形態の比較例にかかるタンク装置の主構成および水路構成を例示するブロック図である。  
つまり、図４および図５は、タンク装置の主な構成および水の流れを１つの図面においてそれぞれ例示している。
【００２９】
本実施形態にかかるタンク装置２００は、図３に関して前述したように、電磁弁２１０と、貯留タンク２２０と、分配装置２４３を有する尿糖計計測部２４０と、を備える。電磁弁２１０の上流側には、手動による開閉が可能とされ、例えば、タンク装置２００の取付・取り外しや保守点検の際などに水路を随時遮断可能な止水栓２０５が設けられている。また、貯留タンク２２０には、液体検知センサ２２１が設けられている。この液体検知センサ２２１は、後に詳述するように、電極を有し、その電極の下端に液体（液面）が接触して通電することにより、その液体を検知することができる。また、液体検知センサ２２１は、貯留タンク２２０に貯留された水の量の上限（満水状態）を検知したり、電磁弁２１０などの止水不良（異常給水）を検知したりすることができる。
【００３０】
本実施形態にかかるタンク装置２００では、受尿部１７５を洗浄する水は、止水栓２０５および電磁弁２１０を通して受尿部１７５に直接的に導かれる。そして、受尿部１７５の内部は、電磁弁２１０を通して直接的に導かれた水により洗浄される。受尿部１７５の内部を洗浄した水は、その後、便器１１０のボウル１１１に適宜排出される。  
一方、分配装置２４３を洗浄する水は、止水栓２０５および電磁弁２１０を通して貯留タンク２２０に一時的に貯留される。そして、分配装置２４３は、制御部２４１から制御されることにより、貯留タンク２２０に貯留された水を吸引できる。これにより、分配装置２４３の内部をその吸引した水により洗浄することができる。また、図３に関して前述したように、貯留タンク２２０内において生じたオーバーフロー水は、排水トラップ２７０を通して排水される。
【００３１】
これに対して、本実施形態の比較例にかかるタンク装置は、受尿部１７５および分配装置２４３の内部を洗浄する水を一時的に貯留する補助タンク４２０と、補助タンク４２０内に貯留された水を吸引し受尿部１７５内に吐出するポンプ４３０と、を備える。また、補助タンク４２０には、補助タンク４２０に貯留された水の量の上限を検知する第１のフロートスイッチ４４１と、補助タンク４２０に貯留された水の量の下限を検知する第２のフロートスイッチ４４２と、が設けられている。なお、その他の主構成については、図４に表したタンク装置の主構成と同様である。
【００３２】
本比較例では、受尿部１７５を洗浄する水は、止水栓２０５および電磁弁２１０を通して補助タンク４２０に一時的に貯留される。そして、ポンプ４３０は、制御部２４１から制御されることにより、補助タンク４２０に貯留された水を吸引し受尿部１７５の内部に吐出できる。これにより、受尿部１７５の内部をその吐出した水により洗浄することができる。  
これと同様に、分配装置２４３を洗浄する水も、止水栓２０５および電磁弁２１０を通して補助タンク４２０に一時的に貯留される。そして、分配装置２４３は、制御部２４１から制御されることにより、補助タンク４２０に貯留された水を吸引できる。これにより、分配装置２４３の内部をその吸引した水により洗浄することができる。
【００３３】
このように、本実施形態の比較例にかかるタンク装置では、補助タンク４２０は、受尿部１７５および分配装置２４３の内部を洗浄する水を一時的に貯留する。そのため、補助タンク４２０は、本実施形態の貯留タンク２２０よりも大きい。言い換えれば、本実施形態の貯留タンク２２０は、比較例の補助タンク４２０よりも小さい。また、受尿部１７５の内部を洗浄するために必要な水量は、分配装置２４３の内部を洗浄するために必要な水量よりも多い。言い換えれば、分配装置２４３の内部を洗浄するために必要な水量、すなわち本実施形態の貯留タンク２２０に貯留される水量は、受尿部１７５の内部を洗浄するために必要な水量よりも少ない。
【００３４】
そのため、本実施形態にかかるタンク装置２００では、貯留タンク２２０をより小型化することができる。また、比較例の補助タンク４２０には第１および第２のフロートスイッチ４４１、４４２が設けられているのに対して、本実施形態の貯留タンク２２０には液体検知センサ２２１が設けられている。そのため、貯留タンク２２０をさらに小型化することができる。これについては、後に詳述する。
【００３５】
また、比較例にかかるタンク装置では、ポンプ４３０が設けられているのに対して、本実施形態にかかるタンク装置２００では、ポンプ４３０は設けられていない。これは、本実施形態にかかるタンク装置２００では、止水栓２０５および電磁弁２１０を通して水道圧がかけられた水道水により受尿部１７５の内部を洗浄するためである。これによれば、タンク装置２００全体を小型化することができる。
【００３６】
次に、本実施形態の貯留タンクの具体例について、図面を参照しつつ説明する。  
図６は、本実施形態の貯留タンクの具体例を表す平面模式図である。  
また、図７は、本具体例の貯留タンクを側方から眺めた断面模式図である。  
また、図８は、本具体例の貯留タンクを他の側方から眺めた断面模式図である。  
なお、図７は、図６に表したＡ−Ａ断面に相当し、図８は、図６に表したＢ−Ｂ断面に相当する。また、図６では、説明の便宜上、蓋部２２０ｂを省略している。
【００３７】
本具体例の貯留タンク２２０は、図７および図８に表したように、タンク部２２０ａと、蓋部２２０ｂと、を有する。タンク部２２０ａは、電磁弁２１０から供給された水を一時的に貯留可能な主タンク２２２と、主タンク２２２からオーバーフローした液体（本実施形態では水）を一時的に貯留し流出させるセンサ用滞留部（流出路）２２３と、を有する。そのセンサ用滞留部２２３は、センサ用滞留部２２３内の水を流出させる流出口２２４を有する。また、タンク部２２０ａの下部には、貯留タンク配管２８６に接続される貯留タンク配管接続部２８６ａと、排水トラップ２７０に接続される排水部２２５と、が設けられている。
【００３８】
液体検知センサ２２１は、その下端部がセンサ用滞留部２２３内に進入するようにして配置され、センサ用滞留部２２３を流れる水、あるいはセンサ用滞留部２２３に一時的に貯留する水、あるいは流出口２２４から流出する水を検知することができる。より具体的には、液体検知センサ２２１は、電極２２１ａと電極２２１ｂとを有し、電極２２１ａおよび電極２２１ｂの下端に水（水面）が接触して通電することにより、センサ用滞留部２２３を流れる水、あるいはセンサ用滞留部２２３に一時的に貯留する水、あるいは流出口２２４から流出する水を検知することができる。なお、液体検知センサ２２１は、蓋部２２０ｂに適宜固定されている。
【００３９】
蓋部２２０ｂの上部には、図７および図８に表したように、配水管２８５に接続される配水管接続部２８５ａが設けられている。そして、配水管２８５および配水管接続部２８５ａを通して電磁弁２１０から貯留タンク２２０に供給される水は、図７に表した矢印Ｗ１のように、まず主タンク２２２に供給され貯留される。そして、センサ用滞留部２２３の上端部２２３ａまで水が貯留されると、その水は、図７および図８に表した矢印Ｗ２のように、上端部２２３ａを越えてオーバーフロー水としてセンサ用滞留部２２３に向かって流れる。
【００４０】
そして、主タンク２２２からセンサ用滞留部２２３に流れてきた水は、センサ用滞留部２２３に一時的に貯留される。これは、流出口２２４の開口面積あるいは開口幅は、上部よりも下部の方が小さいためである。これによれば、センサ用滞留部２２３内の水位が低いとき、あるいはセンサ用滞留部２２３に流入する単位時間当たりの水量が少ないときには、流出口２２４は、センサ用滞留部２２３からの水の流出を抑制することができ、そのセンサ用滞留部２２３により多くの水を貯留することができる。一方、センサ用滞留部２２３内の水位が高いとき、あるいはセンサ用滞留部２２３に流入する単位時間当たりの水量が多いときには、流出口２２４は、センサ用滞留部２２３からの水の流出を促進することができ、そのセンサ用滞留部２２３からより多くの水を流出させることができる。
【００４１】
そして、図７に表したように、センサ用滞留部２２３に一時的に貯留された水が、液体検知センサ２２１（電極２２１ａおよび電極２２１ｂ）の下端部に接触すると、その液体検知センサ２２１は、流出口２２４から流出する水を検知する。そうすると、制御部２４１は、液体検知センサ２２１からの検知信号により、主タンク２２２が満水状態となり、水が流出口２２４から流出していると判断し、電磁弁２１０を閉じて止水する制御を実行する。これにより、主タンク２２２への水の供給は停止される。つまり、液体検知センサ２２１は、主タンク２２２の満水状態を検知することができ、制御部２４１は、その液体検知センサ２２１からの検知信号により主タンク２２２の満水状態を判断し止水する制御を実行することができる。
【００４２】
主タンク２２２への水の供給が停止されると、主タンク２２２からセンサ用滞留部２２３へ向かう水の流れも停止する。また、センサ用滞留部２２３の底部２２３ｂは、図８に表したように、排水部２２５に向かって下方に傾斜している。そのため、センサ用滞留部２２３に一時的に貯留された略全ての水は、図８に表した矢印Ｗ３のように、流出口２２４から流出する。そして、その水は、図８に表した矢印Ｗ４のように、排水部２２５および排水トラップ２７０を通して排水される。
【００４３】
なお、図８に表した矢印Ｗ３のように、水が流出口２２４から流出するのは、主タンク２２２への水の供給が停止された後だけではない。つまり、主タンク２２２からセンサ用滞留部２２３に流れたオーバーフロー水は、センサ用滞留部２２３に一時的に貯留されつつ、図８に表した矢印Ｗ３のように流出口２２４から流出する。あるいは、主タンク２２２からセンサ用滞留部２２３に流れたオーバーフロー水の一部は、センサ用滞留部２２３に一時的に貯留され、その他部は、図８に表した矢印Ｗ３のように流出口２２４から流出する。そして、主タンク２２２への水の供給が停止されると、センサ用滞留部２２３に一時的に貯留された略全ての水は、流出口２２４から流出する。
【００４４】
次に、主タンク２２２およびセンサ用滞留部２２３の水位について図面を参照しつつ説明し、本実施形態の貯留タンク２２０についてさらに説明する。  
図９は、本実施形態の主タンクおよびセンサ用滞留部の水位を表すタイムチャートである。
【００４５】
まず、配水管接続部２８５ａを通して供給された水が、図７に表した矢印Ｗ１のように、主タンク２２２に供給され貯留されると、主タンク２２２内の水位は、図９に表したように、時間の経過とともに上昇する（時間ｔ０〜ｔ１）。続いて、センサ用滞留部２２３の上端部２２３ａまで水が貯留されると、オーバーフロー水は、図７および図８に表した矢印Ｗ２のように、上端部２２３ａを越えてセンサ用滞留部２２３に向かって流れる。そのため、センサ用滞留部２２３内の水位は、時間の経過とともに上昇する（時間ｔ１〜ｔ２）。
【００４６】
ここで、センサ用滞留部２２３内の水位が上昇し始めたとき（時間ｔ１）、あるいはその後に、センサ用滞留部２２３に一時的に貯留された水が液体検知センサ２２１の下端部に接触すると、その液体検知センサ２２１は、センサ用滞留部２２３を流れる水、あるいはセンサ用滞留部２２３に一時的に貯留する水、あるいは流出口２２４から流出する水を検知する。このとき、制御部２４１は、液体検知センサ２２１からの検知信号により、主タンク２２２が満水状態であると判断できる。
【００４７】
続いて、制御部２４１は、主タンク２２２が満水状態であると判断し、電磁弁２１０を閉じて止水すると（時間ｔ２）、センサ用滞留部２２３内の水位は低下する（時間ｔ２〜ｔ３）。そして、センサ用滞留部２２３に一時的に貯留された略全ての水は、流出口２２４から流出する（時間ｔ３）。このとき、本実施形態の制御部２４１は、電磁弁２１０を閉じたとき（時間ｔ２）から、センサ用滞留部２２３に一時的に貯留された略全ての水が流出口２２４から流出したとき（時間ｔ３）までの経過時間を計測し記憶することができる。
【００４８】
そして、その経過時間（時間ｔ２〜ｔ３）が適宜設定された所定時間（閾値）よりも長いときには、制御部２４１は、主タンク２２２への異常給水が行われていると判断し、異常信号を出力できる。主タンク２２２への異常給水が行われる場合としては、例えば、電磁弁２１０が故障することにより止水できなくなる場合や、電磁弁２１０におけるシール性が低下することにより止水までの時間がよりかかる場合などが挙げられる。また、本実施形態のタンク装置２００では、制御部２４１は、異常信号を出力することにより、例えば、トイレリモコン１３０あるいは端末装置１４０に異常給水である旨を表示したり、音や光で報知することができる。
【００４９】
本具体例の貯留タンク２２０を備えるタンク装置２００によれば、制御部２４１は、１つのセンサにより、すなわち液体検知センサ２２１により、主タンク２２２が満水状態であることと、主タンク２２２への異常給水が行われていることと、を検知することができる。そのため、貯留タンク２２０を小型化することができる。また、主タンク２２２に貯留される水は、分配装置２４３を洗浄する水であり、受尿部１７５を洗浄する水ではない。受尿部１７５を洗浄する水は、図４に関して前述したように、止水栓２０５および電磁弁２１０を通して受尿部１７５に直接的に導かれる。そのため、貯留タンク２２０をさらに小型化することができる。
【００５０】
また、流出口２２４の開口面積あるいは開口幅は、上部よりも下部の方が小さいため、センサ用滞留部２２３に流入する単位時間当たりの水量が少ないときでも、センサ用滞留部２２３には、主タンク２２２からのオーバーフロー水がより確実に一時的に貯留される。そのため、液体検知センサ２２１は、センサ用滞留部２２３に流入する単位時間当たりの水量が少ないときでも、主タンク２２２の満水状態をより早く検知できる。さらに、センサ用滞留部２２３内の水位が高いときには、センサ用滞留部２２３からの水の流出を促進することができ、一方で、センサ用滞留部２２３内の水位が低いときには、センサ用滞留部２２３からの水の流出を抑制することができる。そのため、正常給水での経過時間（時間ｔ２〜ｔ３）と、異常給水での経過時間（時間ｔ２〜ｔ３）と、の間の差が生じやすい。そのため、制御部２４１は、センサ用滞留部２２３に流入する単位時間当たりの水量が少ないときでも、主タンク２２２への異常給水が行われていることをより確実に検知できる。
【００５１】
次に、本実施形態の貯留タンクの他の具体例について、図面を参照しつつ説明する。  
図１０は、本実施形態の貯留タンクの他の具体例を側方から眺めた断面模式図である。  また、図１１は、本具体例の貯留タンクを他の側方から眺めた断面模式図である。  
なお、図１０は、図６に表したＡ−Ａ断面と同様の箇所における断面に相当し、図１１は、図６に表したＢ−Ｂ断面と同様の箇所における断面に相当する。
【００５２】
本具体例の貯留タンク５１０は、図６〜図８に関して前述した具体例と同様に、タンク部５１０ａと、蓋部５１０ｂと、を有する。タンク部５１０ａは、電磁弁２１０から供給された水を一時的に貯留可能な主タンク２２２と、主タンク２２２からオーバーフローした水を流出（排水）させる流出路５１３と、を有する。この流出路５１３は、主タンク２２２内の水を流出させる流出口５１１を有する。
【００５３】
つまり、本具体例の貯留タンク５１０の流出口５１１は、流出路５１３の上流側に設けられている。すなわち、流出口５１１には、主タンク２２２から流出路５１３に向かうオーバーフロー水が通過する。一方で、図６〜図８に関して前述した具体例では、流出口２２４は、センサ用滞留部（流出路）２２３の下流側に設けられている。すなわち、流出口２２４には、センサ用滞留部（流出路）２２３から排水部２２５に向かって排出される水が通過する。
【００５４】
また、流出路５１３の底部５１３ｂは、図１１に表したように、排水部２２５に向かって下方に傾斜している。そのため、本具体例の貯留タンク５１０では、主タンク２２２からのオーバーフロー水は、流出路５１３に一時的に貯留されることはない。液体検知センサ２２１は、その下端部が流出路５１３内に進入するようにして配置され、流出路５１３を流れる水を検知することができる。なお、その他の構造については、図６〜図８に関して前述した具体例の構造と同様である。
【００５５】
配水管２８５および配水管接続部２８５ａを通して電磁弁２１０から貯留タンク５１０に供給される水は、図１０に表した矢印Ｗ１のように、まず主タンク２２２に供給され貯留される。そして、流出口５１１の下端部５１１ａまで水が貯留されると、その水は、図１０に表した矢印Ｗ５のように、流出口５１１から流出路５１３へ向かって流出する。あるいは、主タンク２２２に貯留された水の水位が高くなった場合には、その水は、図１０に表した矢印Ｗ６のように、流出口５１１の上端部５１１ｂを越えて流出路５１３へ向かって流出する。
【００５６】
そして、主タンク２２２から流出路５１３に流出した水は、流出路５１３に沿って、より具体的には底部５１３ｂに沿って流れ、図１１に表した矢印Ｗ７のように、排水部２２５に向かって流れる。その後、その水は、図１１に表した矢印Ｗ４のように、排水部２２５および排水トラップ２７０を通して排水される。
【００５７】
ここで、流出路５１３を流れる水が液体検知センサ２２１（電極２２１ａおよび電極２２１ｂ）の下端部に接触すると、その液体検知センサ２２１は、流出路５１３を流れる水を検知する。そうすると、制御部２４１は、液体検知センサ２２１からの検知信号により、主タンク２２２が満水状態となり、水が流出路５１３を流れていると判断し、電磁弁２１０を閉じて止水する制御を実行する。これにより、主タンク２２２への水の供給は停止される。
【００５８】
また、制御部２４１は、電磁弁２１０を閉じてから、液体検知センサ２２１が流出路５１３を流れる水を検知しなくなるまでの経過時間を計測し記憶することができる。そして、その経過時間が適宜設定された所定時間（閾値）よりも長いときには、制御部２４１は、主タンク２２２への異常給水が行われていると判断し、異常信号を出力できる。
【００５９】
本具体例の貯留タンク５１０を備えるタンク装置２００によれば、液体検知センサ２２１は、流出路５１３に一時的に貯留される水ではなく、流出路５１３を流れる水を検知できる。そのため、制御部２４１は、流出路５１３を流れる水の単位時間当たりの水量が少ないときでも、主タンク２２２の満水状態をより早く検知できる。また、液体検知センサ２２１は、主タンク２２２からのオーバーフロー水が流出路５１３を流れているときと、流れていないときと、の違いをより早く検知できるため、制御部２４１は、主タンク２２２への異常給水が行われていることをより早く検知できる。
【００６０】
また、流出口５１１の開口面積あるいは開口幅は、図６〜図８に関して前述した具体例の流出口２２４と同様に、上部よりも下部の方が小さい。そのため、主タンク２２２に供給される単位時間当たりの水量が少ないときには、主タンク２２２から流出路５１３への水の流出を抑制することができ、一方で、主タンク２２２に供給される単位時間当たりの水量が多いときには、主タンク２２２から流出路５１３への水の流出を促進することができる。また、その他の効果についても、図６〜図９に関して前述した具体例の効果と同様の効果を得ることができる。
【００６１】
次に、本実施形態の貯留タンクのさらに他の具体例について、図面を参照しつつ説明する。  
図１２は、本実施形態の貯留タンクのさらに他の具体例を側方から眺めた断面模式図である。  
また、図１３は、本具体例の貯留タンクを他の側方から眺めた断面模式図である。  
なお、図１２は、図６に表したＡ−Ａ断面と同様の箇所における断面に相当し、図１３は、図６に表したＢ−Ｂ断面と同様の箇所における断面に相当する。
【００６２】
本具体例の貯留タンク５２０は、図６〜図８に関して前述した具体例と同様に、タンク部５２０ａと、蓋部５２０ｂと、を有する。タンク部５２０ａは、電磁弁２１０から供給された水を一時的に貯留可能な主タンク２２２と、主タンク２２２からオーバーフローした水を流出（排水）させる排水配管（流出路）５２１と、排水配管５２１に接続され排水配管５２１からの水を排水部２２５に排水させる排水チューブ５２３と、を有する。
【００６３】
つまり、本具体例の貯留タンク５２０の排水配管（流出路）５２１は、図６〜図８に関して前述した具体例のセンサ用滞留部２３３、および図９〜図１０に関して前述した具体例の流出路５１３のようには上方が開放されているわけではなく管状となっている。これは、排水チューブ５２３に関しても同様である。これによれば、主タンク２２２からのオーバーフロー水が飛散することを抑制することができる。
【００６４】
排水配管５２１は、図１３に表したように、排水部２２５に向かって下方に傾斜している。また、排水チューブ５２３は、図１３に表したように、排水部２２５に向かって下方に傾斜し、その途中において、排水部２２５に向かって略鉛直方向に屈曲している。そのため、主タンク２２２からのオーバーフロー水は、排水配管５２１および排水チューブ５２３に一時的に貯留されることはない。液体検知センサ２２１は、その下端部が排水配管５２１内に進入するようにして配置され、排水配管５２１内を流れる水を検知することができる。なお、その他の構造については、図６〜図８に関して前述した具体例の構造と同様である。
【００６５】
配水管２８５および配水管接続部２８５ａを通して電磁弁２１０から貯留タンク５２０に供給される水は、図１２に表した矢印Ｗ１のように、まず主タンク２２２に供給され貯留される。そして、排水配管５２１の内側の水位まで水が貯留されると、その水は、図１２に表した矢印Ｗ８のように、排水配管５２１の内部に向かって流出する。あるいは、主タンク２２２に貯留された水の水位が高くなった場合には、その水は、図１３に表した矢印Ｗ１０のように、排水配管５２１および排水チューブ５２３の外部に設けられた流出口５２５から流出する。この場合には、流出口５２５から流出した水は、排水配管５２１および排水チューブ５２３の内部を流れることはない。
【００６６】
そして、排水配管５２１内に流出した水は、図１３の表した矢印Ｗ９のように、排水配管５２１および排水チューブ５２３の内部を流れ、排水部２２５に向かって流れる。その後、その水は、図１３に表した矢印Ｗ４のように、排水部２２５および排水トラップ２７０を通して排水される。
【００６７】
ここで、排水配管５２１内を流れる水が液体検知センサ２２１（電極２２１ａおよび電極２２１ｂ）の下端部に接触すると、その液体検知センサ２２１は、排水配管５２１内を流れる水を検知する。そうすると、制御部２４１は、液体検知センサ２２１からの検知信号により、主タンク２２２が満水状態となり、水が排水配管５２１内を流れていると判断し、電磁弁２１０を閉じて止水する制御を実行する。これにより、主タンク２２２への水の供給は停止される。
【００６８】
また、制御部２４１は、図６〜図８および図９〜図１０に関して前述した具体例と同様に、電磁弁２１０を閉じてから、液体検知センサ２２１が排水配管５２１内を流れる水を検知しなくなるまでの経過時間を計測し記憶することができる。そして、その経過時間が適宜設定された所定時間（閾値）よりも長いときには、制御部２４１は、主タンク２２２への異常給水が行われていると判断し、異常信号を出力できる。
【００６９】
本具体例の貯留タンク５２０を備えるタンク装置２００によれば、排水配管５２１が管状となっているため、主タンク２２２からのオーバーフロー水が飛散することを抑制することができる。そのため、排水配管５２１内を流れる水は、液体検知センサ２２１の下端部により確実に接触することができる。つまり、液体検知センサ２２１は、排水配管５２１内を流れる水をより確実に検知できる。これによれば、制御部２４１は、排水配管５２１内を流れる水の単位時間当たりの水量にかかわらず、主タンク２２２の満水状態をより確実に検知できる。また、液体検知センサ２２１は、排水配管５２１内を流れる水を検知するため、主タンク２２２からのオーバーフロー水が排水配管５２１内を流れているときと、流れていないときと、の違いをより早く検知できる。そのため、制御部２４１は、主タンク２２２への異常給水が行われていることをより早く検知できる。また、その他の効果についても、図６〜図９に関して前述した具体例の効果と同様の効果を得ることができる。
【００７０】
次に、本実施形態の貯留タンクのさらに他の具体例について、図面を参照しつつ説明する。  
図１４は、本実施形態の貯留タンクのさらに他の具体例を側方から眺めた断面模式図である。  
また、図１５は、本具体例の貯留タンクを他の側方から眺めた断面模式図である。  
なお、図１４は、図６に表したＡ−Ａ断面と同様の箇所における断面に相当し、図１５は、図６に表したＢ−Ｂ断面と同様の箇所における断面に相当する。
【００７１】
本具体例の貯留タンク５３０は、図６〜図８に関して前述した具体例と同様に、タンク部５３０ａと、蓋部５３０ｂと、を有する。タンク部５１０ａは、電磁弁２１０から供給された水を一時的に貯留可能な主タンク２２２を有する。この主タンク２２２は、主タンク２２２内の水を流出させる流出口５３１を有する。つまり、流出口５３１は、主タンク２２２の満水水位よりも高い水位の水をオーバーフローさせる。そして、本具体例の貯留タンク５３０は、図６〜図８、図９〜図１０、および図１１〜図１２に関して前述した具体例のようには、主タンク２２２からオーバーフローした水を流出（排水）させる流出路を有していない。
【００７２】
主タンク２２２は、図１４に表したように、下方部よりも上方部の方が小さい断面積を有する。つまり、貯留タンク５３０を上方あるいは下方からみたときの主タンク２２２の断面積は、下方部よりも上方部の方が小さい。そして、流出口５３１は、図１４に表したように、主タンク２２２の上方部であって、その断面積が小さい部分に設けられている。流出口５３１の開口面積あるいは開口幅は、図６〜図８に関して前述した具体例の流出口２２４と同様に、上部よりも下部の方が小さい。また、液体検知センサ２２１は、その下端部が主タンク２２２内であって、流出口５３１の下端部５３１ａと同じ高さあるいはそれよりも高い位置となるように設置されている。
【００７３】
配水管２８５および配水管接続部２８５ａを通して電磁弁２１０から貯留タンク５３０に供給される水は、図１４に表した矢印Ｗ１のように、まず主タンク２２２に供給され貯留される。そして、主タンク２２２内の水位が上昇すると、図１４に表した矢印Ｗ１１のように、主タンク２２２の断面積が小さい部分における水位が上昇する。そして、流出口５３１の下端部５３１ａ（満水水位）よりも高い水位まで水が貯留されると、その水は、図１５に表した矢印Ｗ１２のように、流出口５３１から排水部２２５へ向かって流出する。あるいは、主タンク２２２に貯留された水の水位が高くなった場合には、その水は、図１５に表した矢印Ｗ１３のように、流出口５３１の上端部５３１ｂを越えて排水部２２５へ向かって流出する。その後、流出口５３１から流出した水は、図１５に表した矢印Ｗ４のように、排水部２２５および排水トラップ２７０を通して排水される。
【００７４】
ここで、前述したように、流出口５３１の開口面積あるいは開口幅は、上部よりも下部の方が小さい。そのため、主タンク２２２内の水位が流出口５３１の下端部５３１ａ近傍である場合には、主タンク２２２からの水の流出は抑制される。これにより、主タンク２２２内の水位は、流出口５３１の下端部５３１ａよりも高くなる。そうすると、主タンク２２２内の水（水面）は、液体検知センサ２２１（電極２２１ａおよび電極２２１ｂ）の下端部に接触する。そのため、液体検知センサ２２１は、水位が下端部５３１ａ（満水水位）よりも高くなった水を検知することができる。そうすると、制御部２４１は、液体検知センサ２２１からの検知信号により、主タンク２２２が満水状態となり、水が流出口５３１から流出していると判断し、電磁弁２１０を閉じて止水する。これにより、主タンク２２２への水の供給は停止される。
【００７５】
続いて、主タンク２２２への水の供給が停止されると、主タンク２２２内の水位は徐々に低下し、流出口５３１の下端部５３１ａと同じ高さとなる。そうすると、主タンク２２２内の水（水面）は、液体検知センサ２２１の下端部とは非接触となる。ここで、制御部２４１は、電磁弁２１０を閉じてから、液体検知センサ２２１が主タンク２２２内の水を検知しなくなるまでの経過時間を計測し記憶することができる。そして、その経過時間が適宜設定された所定時間（閾値）よりも長いときには、制御部２４１は、主タンク２２２への異常給水が行われていると判断し、異常信号を出力できる。
【００７６】
本具体例の貯留タンク５３０を備えるタンク装置２００によれば、図６〜図８に関して前述した具体例のセンサ用滞留部２２３や、図１０〜図１１に関して前述した具体例の流出路５１３や、図１２〜図１３に関して前述した具体例の排水配管５２１などを設ける必要がない。そのため、貯留タンク５３０の構造を簡略化し、貯留タンク５３０およびタンク装置２００を小型化することができる。また、流出口５３１の開口面積あるいは開口幅は、上部よりも下部の方が小さいため、図６〜図９に関して前述した具体例と同様に、制御部２４１は、正常給水と異常給水とを判別しやすく、主タンク２２２に流入する単位時間当たりの水量が少ないときでも、主タンク２２２への異常給水が行われていることをより確実に検知できる。また、その他の効果についても、図６〜図９に関して前述した具体例の効果と同様の効果を得ることができる。
【００７７】
次に、本実施形態の具体例にかかるタンク装置の主構成および水の流れについて、図面を参照しつつ説明する。  
図１６は、本実施形態の具体例にかかるタンク装置の主構成および水路構成を例示するブロック図である。  
つまり、図１６は、図１４に表したブロック図と同様に、タンク装置の主な構成および水の流れを１つの図面において例示している。
【００７８】
本具体例にかかるタンク装置では、図示しない水道管に接続された給水口２０１と、水中の異物を捕捉するフィルタ（ストレーナ）２０２と、上流への水の逆流を防ぐ逆止弁２０３と、給水圧を所定の圧力範囲に調整する調圧弁２０４と、が設けられている。また、調圧弁２０４の下流側の流路は、受尿部１７５へ導水する流路と、貯留タンク２２０へ導水する流路と、に分岐されている。
【００７９】
受尿部１７５側の流路には、主電磁弁２１０ａと、流路内の圧力を所定圧力に抑える安全弁２６１と、外部から空気を取り込んで水の流れを促進するバキュームブレーカ２６３と、給水圧にかかわらず水の流量を一定に保つ定流量弁２６５と、が設けられている。図３に関して前述したように、本実施形態では、水道圧がかけられた水道水により受尿部１７５の内部を洗浄するため、本具体例のように、受尿部１７５側の流路に安全弁２６１を設けることが好ましい。  
一方、貯留タンク２２０側の流路には、副電磁弁２１０ｂと、バキュームブレーカ２６３と、が設けられている。
【００８０】
また、貯留タンク２２０は、図６および図８に表したように、バッファタンク２２８を有する。ここで、主電磁弁２１０ａや調圧弁２０４などの調圧性能が低下し、安全弁２６１から水が流出した場合には、その流出した水は、図１６に表した破線のように、貯留タンク２２０のバッファタンク２２８に導水される。また、バキュームブレーカ２６３が外部から空気を取り込んで水の流れを促進する際に、バキュームブレーカ２６３から水が流出した場合には、その流出した水は、図１６に表した破線のように、貯留タンク２２０のバッファタンク２２８に導水される。そして、バッファタンク２２８に導水された水は、排水部２２５および排水トラップ２７０を通して排水される。
【００８１】
このように、貯留タンク２２０は、分配装置２４３を洗浄する水を一時的に貯留する主タンク２２２だけではなく、安全弁２６１およびバキュームブレーカ２６３から流出した水を受けるバッファタンク２２８を有していてもよい。また、貯留タンク２２０は、バッファタンク２２８の一部に安全弁センサ用滞留部２２９を有していてもよい。この安全弁センサ用滞留部２２９には、例えば、液体検知センサ２２１と同様の電極を有する液体検知センサが、下端部を安全弁センサ用滞留部２２９内に進入するようにして配置される。
【００８２】
本具体例のタンク装置によれば、下端部が安全弁センサ用滞留部２２９内に進入するようにして配置された液体検知センサは、安全弁センサ用滞留部２２９内に貯留された水を検知することができる。そうすると、制御部２４１は、その液体検知センサからの検知信号により、安全弁２６１あるいはバキュームブレーカ２６３から水が流出していると判断し、異常信号を出力できる。制御部２４１は、異常信号を出力することにより、例えば、主電磁弁２１０ａや調圧弁２０４などの調圧性能が低下した旨、または安全弁２６１あるいはバキュームブレーカ２６３から水が流出している旨をトイレリモコン１３０あるいは端末装置１４０に表示したり、音や光で報知することができる。
【００８３】
また、貯留タンク２２０は、安全弁２６１およびバキュームブレーカ２６３から流出した水を受けるバッファタンク２２８を有するため、安全弁２６１あるいはバキュームブレーカ２６３から多量の水が流出しても、排水トラップ２７０において水の流れが悪くなったり逆流したりすることを抑制することができる。また、その他の効果についても、図６〜図９に関して前述した具体例の効果と同様の効果を得ることができる。
【００８４】
以上説明したように、本実施形態によれば、制御部２４１は、１つのセンサにより、すなわち液体検知センサ２２１により、主タンク２２２が満水状態であることと、主タンク２２２への異常給水が行われていることと、を検知することができる。そのため、貯留タンク２２０を小型化することができる。また、貯留タンク２２０の主タンク２２２は、分配装置２４３を洗浄する水を貯留できればよい。そのため、貯留タンク２２０をさらに小型化することができる。その結果、タンク装置２００全体を小型化することができる。
【００８５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、貯留タンク２２０などが備える各要素の形状、寸法、材質、配置などや液体検知センサ２２１の設置形態などは、例示したものに限定されるわけではなく適宜変更することができる。  
また、本実施形態の説明では、前述したように、タンク装置２００において貯留される液体は水である場合を例に挙げて説明したが、タンク装置２００において貯留される液体は水だけに限定されるわけではない。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８６】
１１０ 便器、  １１１ ボウル、  １２０ 局部洗浄装置、  １３０ トイレリモコン、  １４０ 端末装置、  １４１ 表示部、  １５０ 体重計、  １５１ 体重計パネル、  １６０ 血圧計、  １７０ 受尿装置、  １７１ 駆動部、  １７３ 回動アーム、  １７５ 受尿部、  １７７ 搬送管、  ２００ タンク装置、  ２０１ 給水口、  ２０２ フィルタ、  ２０３ 逆止弁、  ２０４ 調圧弁、  ２０５ 止水栓、  ２１０ 電磁弁、  ２１０ａ 主電磁弁、  ２１０ｂ 副電磁弁、  ２２０ 貯留タンク、  ２２０ａ タンク部、  ２２０ｂ 蓋部、  ２２１ 液体検知センサ、  ２２１ａ、２２１ｂ 電極、  ２２２ 主タンク、  ２２３ センサ用滞留部、  ２２３ａ 上端部、  ２２３ｂ 底部、  ２２４ 流出口、  ２２５ 排水部、  ２２８ バッファタンク、  ２２９ 安全弁センサ用滞留部、  ２４０ 尿糖計計測部、  ２４１ 制御部、  ２４３ 分配装置、  ２４５ 尿糖検知センサ、  ２５０ 液注入ユニット部、  ２６１ 安全弁、  ２６３ バキュームブレーカ、  ２６５ 定流量弁、  ２７０ 排水トラップ、  ２８１、２８２ 試薬配管、  ２８３ センサ配管、  ２８５ 配水管、  ２８５ａ 配水管接続部、  ２８６ 貯留タンク配管、  ２８６ａ 貯留タンク配管接続部、  ３１０ 棚板、  ３２０、３３０ キャビネット、  ３４１ ペーパーホルダ、  ３４３ トイレットペーパー、  ３４５ 水栓、  ３４７ ボウル、  ３４９ 鏡、  ３５０ キャビネット、  ４２０ 補助タンク、  ４３０ ポンプ、  ４４１ 第１のフロートスイッチ、  ４４２ 第２のフロートスイッチ、  ５１０ 貯留タンク、  ５１０ａ タンク部、  ５１０ｂ 蓋部、  ５１１ 流出口、  ５１１ａ 下端部、  ５１１ｂ 上端部、  ５１３ 流出路、  ５１３ｂ 底部、  ５２０ 貯留タンク、  ５２０ａ タンク部、  ５２０ｂ 蓋部、  ５２１ 排水配管、  ５２３ 排水チューブ、  ５２５ 流出口、  ５３０ 貯留タンク、  ５３０ａ タンク部、  ５３０ｂ 蓋部、  ５３１ 流出口、  ５３１ａ 下端部、  ５３１ｂ 上端部、  ７０１ 床面、  ７０３ 壁面
【図１】
2010236211.tif 000003
【図２】
2010236211.tif 000004
【図３】
2010236211.tif 000005
【図４】
2010236211.tif 000006
【図５】
2010236211.tif 000007
【図６】
2010236211.tif 000008
【図７】
2010236211.tif 000009
【図８】
2010236211.tif 000010
【図９】
2010236211.tif 000011
【図１０】
2010236211.tif 000012
【図１１】
2010236211.tif 000013
【図１２】
2010236211.tif 000014
【図１３】
2010236211.tif 000015
【図１４】
2010236211.tif 000016
【図１５】
2010236211.tif 000017
【図１６】
2010236211.tif 000018